(57)【要約】【課題】従来の心電情報通信システムで情報の伝達はインターネット、テレビ電話等を使っていたが、生死に関わる心臓の異常に対して対処が遅くなりがちで合った。また、心電情報が送信されて状況を見る複数の閲覧者がいた場合について考慮されていなかった。【解決手段】心電情報通信システムで、心電測定器端末で測定した情報を携帯電話機端末に通信し、その情報を携帯電話機端末からサーバーに送られると、情報を閲覧する閲覧者が複数いる場合に優先度の高い閲覧者にメールで心電情報が送られてきたことを伝えるので指示系統が明確になっている。【選択図】図１
2010154952.tif 000002
【特許請求の範囲】
【請求項１】
心電情報を測定する心電測定器端末と、携帯電話機端末と、情報をストアし、管理するサーバーと、少なくとも１人の閲覧者が操作する少なくとも１つの閲覧者端末とからなる心電情報通信システムで、
前記心電測定器端末は被験者の心電情報を測定する手段と、前記心電情報を前記携帯電話機端末に送信する手段を備え、
前記携帯電話機端末は前記心電情報を受信する手段と前記サーバーに前記心電情報と前記被験者または携帯電話所有者の身元を保証するＩＤ等情報を送信する手段とを備え、
前記サーバーは前記心電測定器端末からの前記心電情報と前記ＩＤ等情報を受信する手段と、前記心電情報と前記前記ＩＤ等情報と前記閲覧者端末が記録したコメントをストアする手段を備え、
前記閲覧者端末は前記サーバーにアクセスし、前記心電情報を閲覧し、前記コメントを記録して前記サーバーに送信する手段を備えた心電情報通信システム。
【請求項２】
前記心電測定器端末から前記携帯電話機端末に送信する手段は赤外線通信手段である請求項１に記載の心電情報通信システム。
【請求項３】
前記少なくとも１つの閲覧者端末は、優先度の高い第１の閲覧者端末を含み、前記サーバーが前記心電情報を受信すると、第１の閲覧者端末にのみ前記サーバーが前記心電情報を受信した旨のメールを送信するよう制御する制御手段を備えた請求項１に記載の心電情報通信システム。
【発明の詳細な説明】
【技術分野】
【０００１】
本発明は、心電測定器端末より心電情報をサーバーに転送し、サーバーを閲覧した医者が被験者の症状を診断する心電情報通信システムに関する。
【背景技術】
【０００２】
従来、この種の血圧、体温情報等をインターネットでサーバーにストアし、担当医がサーバーにアクセスし、担当医に医療アドバイス情報を例は特許文献１に示されている。図において特許文献１について説明する。
【０００３】
図１２は、血圧、体温等の生体情報を測定する患者端末３１と、生体情報を閲覧して診断に供するための医師端末３２と、双方の端末から転送された情報を蓄積するセンターサーバー３３を介して通信ネットワーク３４で接続する健康診断ネットワークシステムを示す。患者端末３１は血圧計、体温計など付属のバイタルセンサ３５とブラウザ機能を有する通信端末装置３６とＴＶ電話装置３７とを備える。医師端末３２は、通信制御装置３８と患者端末３１とＴＶ電話装置３７と電話で対応するＴＶ電話装置３９とを備える。センターサーバー３３は、患者端末３１、医師端末３２のそれぞれのコンテンツ、すなわち各機能を実現するためのソフトウエアが格納されているアプリケーションサーバー４０とデータベースサーバー４１と管理端末４２とを備える。
【０００４】
センターサーバー３３のデータベースサーバー４１には患者端末３１から伝送された生体情報や、医師端末から伝送された医療アドバイス情報、医療スケジュール情報及び患者端末３１への制御情報や、管理端末３２から入力された患者情報、患者端末情報、医師情報、医師端末情報などの各種情報を蓄積している。上記蓄積された情報は、患者ＩＤ、患者パスワード、医師ＩＤ、医師パスワード等のアクセス権利情報が含まれており、それぞれ登録した患者あるいは医師のみしか生体情報にアクセスできないような構成にしている。
【０００５】
【特許文献１】特開２００２−８３０６６号公報
【発明の開示】
【発明が解決しようとする課題】
【０００６】
最近では通信ネットワークとしてインターネット、公衆電話回線網、専用回線網、高速通信網等で通信速度の速いネットワークを使うこともできるようになった。しかしながら、心筋梗塞のような心臓に関する事故に関して通信速度の速いことも必要であるが、高速通信網だけでは緊急性に対応できない欠点を有する。緊急を要するときはすぐ症状を診て医師に専門的な助言を受ける必要がある。
また、症状を伝えて診てもらう医師、家族を含めて関係者が複数いる場合があり、そのとき、誰に最も早く通知することも考慮しなくてはならない。従来例では、関係者が複数ある場合のことが考慮されていなかった。
さらに、従来例では心電測定器端末側で遠方にあるサーバーに通信する機能を有しているが、わざわざ心電測定器端末にそのような機能を持たねばならないのは大掛かりであり、既存の設備、インフラを使うよりコストが高くなると思われる。
【０００７】
本発明は、このような従来の構成が有していた問題を解決しようとするものであり、携帯電話を利用した心電情報通信システムを構築することを目的とするものである。
【課題を解決するための手段】
【０００８】
本発明の請求項１は、心電情報を測定する心電測定器端末と、携帯電話機端末と、情報をストアし、管理するサーバーと、少なくとも１人の閲覧者が操作する少なくとも１つの閲覧者端末とからなる心電情報通信システムで、
心電測定器端末は被験者の心電情報を測定する手段と、前記心電情報を前記携帯電話機端末に送信する手段を備え、
前記携帯通信端末は前記心電情報を受信する手段と前記サーバーに前記心電情報と前記被験者または携帯通信所有者の身元を保証するＩＤ等情報を送信する手段とを備え、
前記サーバーは前記心電測定器端末からの前記心電情報と前記ＩＤ等情報を受信する手段と、前記心電情報と前記ＩＤ等情報と前記閲覧者端末が記録したコメントをストアする手段を備え、
前記閲覧者端末は前記サーバーにアクセスし、前記心電情報を閲覧し、前記コメントを記録して前記サーバーに送信する手段を備えた心電情報通信システムを提供することにある。さらに請求項２は前記心電測定器端末から前記携帯電話機端末に送信する手段は赤外線通信手段である請求項１に記載の心電情報通信システムを提供することにある。前記心電測定器端末と前記携帯電話機端末との間は、赤外線通信手段を使い、近距離用の簡単な通信手段で行なうものである。
【０００９】
本発明の請求項３は、前記少なくとも１つの閲覧者端末は、優先度の高い第１の閲覧者端末を含み、前記サーバーが前記心電情報を受信すると、第１の閲覧者端末にのみ前記サーバーが前記心電情報を受信した旨のメールを送信するよう制御する制御手段を備えた請求項１に記載の心電情報通信システムを提供することにある。
【発明の効果】
【００１０】
上述したように、本発明の心電情報通信システムは、患者側が心電測定器端末の情報を携帯電話端末に送信し、その情報を携帯電話端末からサーバーに送信し、第１の閲覧者、すなわち優先度の高い閲覧許可を持つ医師がその情報をみてコメントを作成してサーバーに送信し、患者側がそのコメントをみて対処するシステムである。サーバーに送信する場合に携帯電話を使うので事故が起きた場合でもすぐに対応できる。
【００１１】
また、心電測定器端末として心電情報を通信するのにまず、簡単な送信機能で携帯電話に送信するので、心電測定器端末として大掛かりな送信装置を持たなくてよいし、既存の携帯電話機で持っているシステムを使うので安価にすますことができる。
【００１２】
またさらに、閲覧許可を複数のものに与えることができるが、心電情報をサーバーに送信し、サーバーが受信すると自動的に指定した優先度の高い閲覧者に対してのみメールでその旨を送信するので、その指定された閲覧者がコメントを優先して記入できるので閲覧者にも序列が決まっているので患者側から最優先の閲覧者のコメントを重視することができる効果を有する。ただし、コメントを作成するに際して優先度の高い閲覧者が次に優先度の高い閲覧者に任してよい。また、閲覧者が一人しかいない場合は、その一人が優先度が高いのはいうまでもない。
【発明を実施するための最良の形態】
【００１３】
以下、本発明の実施の形態を図１〜図１１に基づいて説明する。
【００１４】
図１は本発明の心電情報通信システムにおけるブロック図を示す。
１は心電測定器端末、２は携帯電話機端末、３はサーバー、４はネットワーク、５は閲覧者端末群を示し、心電測定器端末１の情報を、携帯電話機端末２に伝送する。携帯電話機端末２は心電測定器端末１で検出した心電情報と携帯電話機端末情報をネットワーク４を介してサーバー３に伝送する。閲覧者端末群５にはドクターと称する主任医師、かかりつけの医師、家族等の第１の閲覧者５Ａ、第２の閲覧者５Ｂ、第３の閲覧者５Ｃがあり、心電情報がサーバー３に伝送されたときに、サーバー３より第１の閲覧者に対して他の閲覧者よりも優先的にメールで心電情報がサーバー３に伝送されたことを通知する。
また、サーバー３は携帯電話機端末２より、心電情報を受信する受信部３Ａと、第1の閲覧者にメールを送信する送信部３Ｂと、心電情報等をストアするストア部３Ｃと、第1の閲覧者にメールを送信するよう制御する制御部３Ｄを有する。
【００１５】
図２は本発明の心電情報通信システムのユーザー及び閲覧者の登録手続きに関するフローである。
Ｓ１で、携帯電話にソフトウエアをダウンロードする、即ちｉアプリでダウンロード可能な複数のあるソフトウエアの一覧を出力し、Ｓ２でソフトウエア×××を選択し、起動する。そこで図３のような携帯電話機端末２の画面２Ａが表示され、はじめにユーザーの氏名とＩＤとパスワードを入力して登録手続きを行い、次に閲覧者の登録手続きを同じように行う。
【００１６】
図４はユーザーがあらかじめ測定していた心電データを登録する手続きを示すフローである。
Ｓ１１でソフト×××を選択し、起動する。Ｓ１２でこのソフト×××を使用した複数のユーザーメンバーの中からユーザーを選択し、パスワードを入力してログインすると複数のメニューが表示される。Ｓ１３でその複数のメニューがある中で、図５に示すように不図示の選択手段により「心電データ登録」を選択する。
【００１７】
Ｓ１４で、携帯電話機端末２を受信状態にして、Ｓ１５で、心電測定器端末１を測定した心電データを出力する図６に示すように不図示の選択手段により「データ出力」に設定し、赤外線を発光し、その赤外線に乗せて心電データを携帯電話機端末２に送信する。Ｓ１６で、携帯電話機端末２で受信したデータをサーバー３に転送してストアし、Ｓ１７で登録終了となる。
【００１８】
図７は心電測定器端末１から携帯電話機端末２に測定した心電情報を赤外線に乗せて送信する状態を示している。例えば、近距離通信に用いられるIrＤＡ規格に準拠した方式を使う。
【００１９】
図８は本発明の心電情報通信システムの登録したデータを閲覧する手続きを示すフローである。
２１で携帯電話機端末２の画面２Ａから図５に示すように、不図示の選択手段により「心電データ閲覧」を選択する。２２で登録したデータの中からデータを選択する。図９に示すように、データが選択された状態で、波形表示、コメントが表示され、閲覧可能となる。
【００２０】
図１０は閲覧者の中で、心電データがサーバーに転送されたら自動的にメールが閲覧者の第１の優先の閲覧者に相当するドクターのコメント登録の手続きを示す。
Ｓ３１で、iアプリの中からドクター用ソフト○○○を選択して起動する。S３２でＩＤ、パスワードを入力し、ログインする。Ｓ３３で複数のドクターが登録されたドクター担当グループからそのドクターの担当のグループを選択し、Ｓ３５でそのグループの中にあるユーザーを選択する。Ｓ３６でそのユーザーの心電データを閲覧し、Ｓ３７のように定型のコメントの中から適切なコメントを選択し、もしなければＳ３８のようにコメントを記入してＳ３９に示すようにサーバー３に転送する。
定型のコメントは例えば「心電に異常はみられません」「１０分後に測定しなおしてください」「安静にして計りなおしてください」等があらかじめ設けられている。
【００２１】
これまで個別の手続きについて述べたが、図１１は本発明の心電情報通信システムの全体のフローチャートを示す。
Ｓ４１で、所定の手続きが完了しているか否かということは、携帯電話機端末２でiアプリをダウンロードし、その中からソフトを選択して起動し、ユーザー、閲覧者のＩＤ、パスワード等を入力する。それからＳ４２で心電測定器端末１でユーザーの心電を測定する。測定が終了するとＳ４３で携帯電話機端末２を作動状態にして心電測定器端末１からの赤外線に心電情報を乗せて携帯電話機２に送信する。
【００２２】
Ｓ４４で携帯電話機２からサーバー３に心電情報を送信し、Ｓ４５で心電情報をサーバーにストアすると共に第１の閲覧者、ここではドクターにメールを送りコメントを登録してもらってサーバー３に心電情報をストアする。ドクターが多忙の場合とか、様々な条件で自らコメントを作成して登録できない場合はドクターが閲覧者の中からコメントを作成する閲覧者を指定してもよいことはいうまでない。
【００２３】
実施例では閲覧者端末群が３個の端末からなっていたが、２個の端末でもよい。また高名な医師が担当医の場合もあって１つの端末しかない場合もありうる。
【図面の簡単な説明】
【００２４】
【図１】本発明の心電情報通信システムにおけるブロック図
【図２】ユーザー及び閲覧者の登録の手続きを示す図
【図３】携帯電話機端末の入力図
【図４】ユーザーのデータ登録の手続きを示す図
【図５】携帯電話機端末のメインメニュー画面
【図６】心電測定器端末のメニュー画面
【図７】心電測定器端末で測定した心電情報を携帯電話機端末に転送する図
【図８】データ閲覧手続きを示す図
【図９】波形表示例及びコメント例
【図１０】ドクターのコメント手続きを示す図
【図１１】本発明の心電情報通信システムの全体図
【図１２】従来例
【符号の説明】
【００２５】
１・・・・・・・・・・・・心電測定器端末
２・・・・・・・・・・・・携帯電話機端末
３・・・・・・・・・・・・サーバー
４・・・・・・・・・・・・ネットワーク
５・・・・・・・・・・・・閲覧者端末群
【図１】
2010154952.tif 000003
【図２】
2010154952.tif 000004
【図３】
2010154952.tif 000005
【図４】
2010154952.tif 000006
【図５】
2010154952.tif 000007
【図６】
2010154952.tif 000008
【図７】
2010154952.tif 000009
【図８】
2010154952.tif 000010
【図９】
2010154952.tif 000011
【図１０】
2010154952.tif 000012
【図１１】
2010154952.tif 000013
【図１２】
2010154952.tif 000014